(57)【特許請求の範囲】
【請求項１】
送風機を有した発熱体皿と回路基板を有した充電池皿がその間に給気流入経路を挟み込むように分離して備えられることにより自由度のある収縮可能状態を生み出し、円筒かつ遠心方向に湾曲させた形状により伸縮バネ特性を生じた弾性網によって保持されることで伸縮復元性を奏した外郭構造を形成し、どちらかの皿の外部を一時的に押圧することにより内部のスイッチを切り替えることを特徴とする円形温風暖房器。
【発明の詳細な説明】
【技術分野】
【０００１】  衣服内や寝具内、また屋内外にて携帯使用可能な暖房器に関するものである。
【背景技術】
【０００２】  衣服内や携帯使用型の暖房器については、燃料式または充電池式の懐炉がよく知られている。他にも服地に電熱線を組み込んだもの等や、外部装置から管を介して衣服内に温風を吹き込むもの等がある。寝具内の暖房器については、布団乾燥機兼用のものも含め、外部装置から管を介して寝具内に温風を吹き込むもの等がある。
【先行技術文献】
【０００３】  特開２００６−１３６６２８  登録実用３００７６３０  実開昭５６−１３５７２０  特開平４−１５９１１９  実開昭６３−０１５４１５  特開平１０−９６７８  特開平７−３９６８８
【発明の概要】
【発明が解決しようとする課題】
【０００４】  燃料式または充電池式の懐炉は受熱部位の狭さが難点である。服地に電熱線を組み込んだもの等はチョッキ型のものや全身上着型のもの等があるが、衣服の上に装着するものであり、衣服内に装着する懐炉に比べ受熱効率は低くまた外気に放熱する割合が高くなる。外部装置から管を介して衣服内に温風を吹き込むもの等は外部装置や管の装着に煩わしさを伴いがちである。また空気は熱せられやすく同時に冷めやすい特性であるため、管経路内での熱損失が大きくなる。外部装置から管を介して寝具内に温風を吹き込むもの等についても同様に管経路内での熱損失を生じるものであり、就寝時においては送風機の騒音も課題である。
【課題を解決するための手段】
【０００５】  上記課題を解決するために本発明は、衣服内や寝具内で使用されるべく比較的小型で円形の発熱暖房器本体から温熱を発するとともに、内部送風機により本体外周から温風を放射するものとし、充電池式にて携帯使用可能なものとする。
【発明の効果】
【０００６】  本発明において、利便性や受熱効率は懐炉と同等であるが、受熱部位は格段に広くなる。温風は管を介さず本体より直接放出されるため、管経路内での熱損失というものは無くなる。就寝時においては、比較的小型であることおよび送風機を含む本体が寝具内にて使用されるため、寝具が防音材の役目となり騒音は低減される。
【図面の簡単な説明】
【０００７】
【図１】円形温風暖房器の実施例を示す発熱体皿の平面図である。
【図２】円形温風暖房器の実施例を示す本体の中央付近断面図である。
【図３】円形温風暖房器の実施例を示す本体の中央付近断面図である。
【図４】円形温風暖房器の実施例を示す本体の正面図である。
【図５】円形温風暖房器の実施例を示す本体の正面図である。
【図６】円形温風暖房器の使用実施例を示す側面図である。
【図７】円形温風暖房器の使用実施例を示す側面図である。
【発明を実施するための形態】
【０００８】  本発明を実施するためにまず発熱体を環状に配する。環状発熱体を保持するケースは円形とし外側表面より温熱を発するようにする。環状発熱体の内側に送風機を設置し羽根車を回転させ放射状に温風を発生させる。
【０００９】  衣服内で使用する際は衣服の外側から、また寝具内で使用する際は暗闇でも手探りで緊急停止あるいは段階調節ができるように、本体に伸縮復元性をもたせ本体自体を圧縮することによりスイッチの切り替えを行えるようにする。
【００１０】  充電池や回路基板は、発熱体の熱による悪影響を抑えるべくあるいは充電時の余熱等を外側表面に放熱利用するべく、発熱体とは反対側に位置するケースに収める。また、発熱体側と充電池側の間に挟むように送風機の吸込み流路を設け、充電池や回路基板の内部発熱を冷却するとともに温風加熱への助力とする。
【００１１】  特に寝具内にて使用する際、安全性あるいは温風作用範囲を確保するべく、本体に突起カバー網を取り付けることができるものとする。
【実施例】
【００１２】  実施例について図面を参照して説明すると、図１、２、３、４、５に示される実施例では、発熱体３は環状に配されており、発熱体３自体はコイル状電熱線、被覆電熱線、棒あるいは管状の発熱素子等、多種のものが想定される。発熱体３は円形の発熱体皿１にて保持されており、金属板や耐熱部材から成る発熱体皿１の外側表面より温熱を発するようにしている。発熱体３の内側にファンモーター４をモーターが発熱体皿１に接するように設置し発生熱を外側表面に伝えるようにしている。本実施例においてファンモーター４は遠心ファンであるが、配置等調整により軸流ファン等を除外するものでは無い。ファンモーター４を回転させ放射状に温風を発生させて、吐出しスリット２を通して発熱体皿１外周へ温風を放出する。【００１３】  発熱体皿１と充電池皿１１はその間に給気流入経路を挟み込むように分離して備えられ、円筒かつ遠心方向に湾曲させた形状により伸縮バネ特性を生じた弾性網２１によって保持されることで伸縮復元性を奏した外郭構造を形成し、どちらかの皿の外部を一時的に押圧することにより、図２から図３のように収縮した状態となり、押圧をやめると図２の状態に戻るようにする。この時、充電池皿１１に設置されたリターンスイッチ１６を作動させスイッチの切り替えを行うようにする。発熱体皿１と充電池皿１１を分離して備えることにより、自由度のある収縮可能状態を生み出し、多少斜め方向から押圧してもスイッチの切り替えを行えるものである。【００１４】  充電池１４や回路基板１５は充電池皿１１に収め、充電時の余熱等を外側表面に放熱させる。回路基板１５は所定温度を超えるとサーモスタットを組み入れたヒータ回路にて発熱を遮断するものとする。ファンモーター４への給気は吸込みスリット１２より内円盤５に沿って行い、充電池１４や回路基板１５の内部発熱を冷却するとともに温風加熱への助力とする。【００１５】  発熱体皿１と充電池皿１１の外側表面を布地２２で覆い、図６に示される使用実施例では、本体３１は吊り紐３２にて保持され衣服４１内にて使用される。また、図７に示される使用実施例において、安全性あるいは温風作用範囲を確保するべく突起カバー網３３や３４を取り付けた本体３１が、寝具５１内にて使用されている。
【産業上の利用可能性】
【００１６】  エアコンやストーブ等の暖房機器は居室内の開放された空間にて使用され、発熱エネルギーに対する使用者の受熱割合は限られたものとなる。また、コタツや電気マット等の局所暖房の場合、行動範囲が制限されがちである。省エネルギー暖房の観点において衣服内や寝具内の身体周囲最小限暖房は有効的であると思われ、屋内外にて携帯使用可能な暖房器は利便性が高いと思われる。
【符号の説明】
【００１７】１  発熱体皿、２  吐出しスリット、３  発熱体、４  ファンモーター
５  内円盤、１１  充電池皿、１２  吸込みスリット、１４  充電池
１５  回路基板、１６  リターンスイッチ、２１  弾性網、２２  布地
３１  本体、３２  吊り紐、３３  突起カバー網、３４  突起カバー網
４１  衣服、５１  寝具
【要約】      （修正有）【課題】衣服内や寝具内、また屋内外にて携帯使用可能な効果の高い暖房器を得る。【解決手段】小型で円形の発熱暖房器本体から温熱を発するとともに、内部送風機により本体外周から温風を放射するものとし、充電池式にて携帯使用可能なものとする。発熱体３の内側にファンモーター４をモーターが発熱体皿１に接するように設置し発生熱を外側表面に伝えるようにしている。ファンモーター４を回転させ放射状に温風を発生させて、吐出しスリット２を通して発熱体皿１外周へ温風を放出する。発熱体皿１と充電池皿はその間に給気流入経路を挟み込むように分離して備えられ、円筒かつ遠心方向に湾曲させた形状により伸縮バネ特性を生じた弾性網２１によって保持されることで伸縮復元性を奏した外郭構造を形成する。【選択図】図１【図１】
0004725904.tif 000002
【図２】
0004725904.tif 000003
【図３】
0004725904.tif 000004
【図４】
0004725904.tif 000005
【図５】
0004725904.tif 000006
【図６】
0004725904.tif 000007
【図７】
0004725904.tif 000008